(57)【要約】【課題】吊り棒を用いなくても上方からの荷重に耐え、また雨水のはけの良い庇や屋根を施工できるハニカムパネル製の屋根材を提供する。【解決手段】ハニカムコア１の側面を枠体４，５，６．７で囲み、該ハニカムコア１と各枠体の下面に下面板２を接着し、その上面に上面板３を接着して一体化したハニカムパネルからなる屋根材であって、各枠体が下面板２に対し垂直であり、且つ上面板３が下面板２に対し傾斜しているハニカムパネル製屋根材である。庇の施工に適する．【選択図】図１
0003131834.tif 000002
【実用新案登録請求の範囲】
【請求項１】
ハニカムコアの側面を枠体で囲み、該ハニカムコアと枠体の下面に下面板を接着し、上面に上面板を接着して一体化したハニカムパネルからなる屋根材であって、枠体が下面板に対し垂直であり、且つ上面板が下面板に対し傾斜していることを特徴とするハニカムパネル製屋根材。
【請求項２】
請求項１のハニカムパネル製屋根材の厚い方の枠体を建築物の壁に固着してなる庇。
【考案の詳細な説明】
【技術分野】
【０００１】
この考案は、ハニカムパネルからなる屋根材に関する。
【背景技術】
【０００２】
ハニカムパネルは、アルミニウム箔などの金属箔からなるハニカムコア（六角形状のセルを有する蜂の巣状の構造物）の上下両面にアルミニウム合金板などの板からなる上面板及び下面板を接着剤で接着して一体化したものである。ハニカムパネルは、軽量で高剛性で吸音生などに優れた性能を有するため、建物の内外装、ドアなどの建築分野において使用されている。そして、庇（ひさし）などの屋根材にも使用されている。
【０００３】
従来、ハニカムコアに面板を接着してハニカムパネルを製造する場合、一般に、ハニカムコアの上下の両面に接着剤を介して面板を配置し、上下の面板をハニカムコアに密着させた状態で加熱し接着剤の接着能を発揮させ、上下面板をハニカムコアに接着させて製造している。この製造方法においては、接着時には、面板とハニカムコアとが全面にわたって密着することが要求される。例えば、上下面板をハニカムコアに密着させ接着するとき、これらの面板とハニカムコアとが接触していない部分が存在すると、その部分は未接着状態となり、品質のよいハニカムパネルが得られないからである。そこで、ハニカムコアの両面に接着剤を介して面板を配置し、これを熱板の間に挟んで加圧、加熱して接着剤の接着能を発揮させ、ハニカムパネルと面板とを接着する方法が行われている。
【０００４】
この加熱板で加圧する製造方法においては、接着時に上下の両面板とハニカムコアとを全面にわたって密着させる密着作業を確実かつ容易に行うべく、下面板と上面板とを互いに平行になるように配置させる。そのため、従来は、全面にわたって厚みが均一なハニカムパネルが生産されている。この加熱板で加圧して密着させる方法に対し、ハニカムコアの側面を枠体で囲み、その両面にハニカムコア及び枠体の全面にわたる面板を位置させ、次いで枠体内部を減圧して面板をハニカムコア及び枠体に密着させ、この密着状態で予め施した接着剤の接着能を発揮させ、ハニカムコアと面板とを接着させる、減圧密着方法が提案されている(特許文献１)。
【特許文献１】特開２００４−３４０４４号公報
【考案の開示】
【考案が解決しようとする課題】
【０００５】
従来の全面にわたって厚みが均一なハニカムパネルを屋根材として例えば庇に用いる場合、図４の断面図に示すように、ハニカムパネルからなる屋根材１１の一端を建築物の壁Ｗに固着している。そして、庇に掛かる上方からの荷重に耐えるように、壁Ｗに固定した金具１４と屋根材の上面に設けた金具１３を連結する吊り棒１５によって吊っている。そのため施工が煩雑になり、また壁Ｗに金具１４を取りつける場所が無い場合は施工が難しくなる。また、庇の上面が水平であるため、雨水のはけが悪い不都合がある。本考案は、吊り棒を用いなくても上方からの荷重に耐え、また雨水のはけの良い庇や屋根を施工ができるハニカムパネル製の屋根材を提供することを目的とする。
【課題を解決するための手段】
【０００６】
本考案は、ハニカムコアの側面を枠体で囲み、該ハニカムコアと枠体の下面に下面板を接着し、上面に上面板を接着して一体化したハニカムパネルからなる屋根材であって、枠体が下面板に対し垂直であり、且つ上面板が下面板に対し傾斜していることを特徴とするハニカムパネル製屋根材である。また、このハニカムパネル製屋根材の厚い方の枠体を建築物の壁に固着してなる庇である。
【考案の効果】
【０００７】
本考案のハニカムパネル製屋根材を建築物の壁に固着して、例えば庇を施工したとき、吊り棒を設けなくても、屋根材に上方から掛かる荷重に耐える施工ができるので、施工が簡単であり、また見た目も良い。また、庇の下面は水平であり、上面は傾斜しているので、雨水のはけが良く、外観も良い。また、本考案の屋根材はハニカムパネルでできているので軽量で、取り扱いやすい利点がある。
【考案を実施するための最良の形態】
【０００８】
図１は、本考案の屋根材の分解斜視図である。図２は、その断面図である。１はハニカムコアであり、アルミニウム箔などの金属箔で作られている。２は下面板、３は上面板である。面板はアルミニウム合金板などの板で作られている。４、５、６、７は枠体である。各枠体はアルミニウム合金などの金属で作られ、断面四角形の形状をしている。ハニカムコア１は、その側面が枠体４、５、６、７で囲まれており、その下面に下面板２が接着され、またその上面に上面板３が接着されて全体が一体化されている。そして、枠体４、５、６、７は、それぞれ下面板に対し垂直であり、枠体６の厚さは、枠体７の厚さより大きい。そのため、上面板は下面板に対し傾斜している。枠体６の厚さと枠体７の厚さの割合を変えることによって上面の傾斜を任意に調整できる。
【０００９】
上記の屋根材は、例えば、次のようにして製造する。まず、ハニカムコアを折り畳んだ、所謂ハニカムブロックの状態において切断加工し、広げたとき、下面が水平で、上面が下面に対し所定の傾斜を持つハニカムコア１を作成する．このハニカムコア１を架台上に置き、そのハニカムコアの側面を枠体４，５，６，７で囲み、その両面にハニカムコア及び枠体の全面にわたる下面板２及び上面板３を位置させ、次いで枠体内部を吸引減圧して下面板２及び上面板３をハニカムコア１及び枠体４，５，６，７に密着させ、この密着状態で予め施した接着剤の接着能を発揮させ全体を一体化させる（特許文献１参照）。
【００１０】
上記の本考案の屋根材を、例えば建築物の庇に利用する場合、厚さが大きい方枠体を建築物の壁に固着して庇を構成させる。図３は、この状態を示した断面図である。１はハニカムコア、６、７は枠体、２は下面板、３は上面板である。１１は屋根材である．屋根材１１の厚い方の枠体６を建築物の壁Ｗに固着する。このとき、屋根材の上面板が、前記した吊り棒の作用をするため、吊り棒を設置しなくても、上方からの荷重に耐える庇を構成することができる。また、上面が外側に傾斜しているので、雨水のはけが良く、庇の機能を十分発揮する。この屋根材は、免震構造の建築物において、水平方向の揺れを吸収するために設けられるエキスパンションジョイントの屋根部にも用いることができる。
【図面の簡単な説明】
【００１１】
【図１】本考案の屋根材の一例を示した分解斜視図
【図２】本考案の屋根材の一例を示した断面図
【図３】本考案の屋根材を用いた庇の断面図
【図４】従来の庇の断面図
【符号の説明】
【００１２】
１  ハニカムコア、２  下面板、３  上面板、４，５，６，７  枠体、
１１  屋根材、１５  吊り棒
【図１】
0003131834.tif 000003
【図２】
0003131834.tif 000004
【図３】
0003131834.tif 000005
【図４】
0003131834.tif 000006